(57)【要約】      （修正有）【課題】非接触ＩＣカードを、クリップ付きのホルダーに収納する手間を省くが出来るため、来訪者が多い場合でも、来訪者を待たせる時間を短縮する事が出来る。又、非接触ＩＣカードを、クリップ付きホルダーに収納したままで、再利用が出来る。【解決手段】非接触ＩＣカードへの入力データ書き込み手段とデータ判定手段とカード発行手段を有する非接触ＩＣカード発行装置であって、非接触ＩＣカードをクリップ付きホルダーに挿入した状態で非接触ＩＣカードを供給・発行することを特徴とし、クリップ付きホルダーに挿入した非接触ＩＣカードをホルダーストッカーから１枚ずつ、送り出し装置により送出し、更に、自重により通信アンテナ部に送出するよう構成する非接触ＩＣカード発行装置。【選択図】図２
2008102892.tif 000002
【特許請求の範囲】
【請求項１】
非接触ＩＣカードに入力データ書き込み手段とデータ判定手段とカード発行手段を有する非接触ＩＣカード発行装置であって、非接触ＩＣカードをクリップ付きホルダーに挿入した状態で非接触ＩＣカードを供給・発行することを特徴とする非接触ＩＣカード発行装置。
【請求項２】
クリップ付きホルダーに挿入した非接触ＩＣカードをホルダーストッカーから１枚ずつ、送り出し装置により送出し、更に、自重により通信アンテナ部に送出するよう構成したことを特徴とする請求項１項に記載の非接触ＩＣカード発行装置。
【発明の詳細な説明】
【技術分野】
【０００１】  本発明は、ホストコンピューター等の上位システムの指示により、非接触ＩＣカードをクリップ付きホルダーに収納した状態でデータを書き込み、書き込みが正しいと判定されたもののみ発行する非接触ＩＣカード入りホルダー発行装置に関するものである。
【背景技術】
【０００２】  企業における出勤及び退勤、イベント会場の入退場等における、来訪者の不審者侵入の防止、又無断侵入を防止し、関係者のみ入退場するためのセキュリティが求められている。この目的のため、入場者の身分証明となるカードを、胸ポケット等身体に掲示することが一般的となっている。イベント会場の入り口や企業の通用門にガードマンを配備し、入場者の身分証明となるものを確認している。来訪者の入場の際、身分証明を記録させ、カードを発行し入場を許可している。又、退出時にカードを回収している。従来の、入場時に非接触ＩＣカードを発行する技術に関する発明として、下記文献の発明「ＩＣカード発行装置」が提案されている。【０００３】
【特許文献１】特開２００１−１４３０２２号公報
【発明の開示】
【発明が解決しようとする課題】
【０００４】  しかしながら、前記提案の文献では、非接触ＩＣカードを発行する際、非接触ＩＣカード単体でリーダライターのデータ処理を開示している。しかしながら、カード発行後、訪問者が身体に装着するためにはクリップ付ホルダーに一枚ずつ挿入する必要があり、特に来訪者が多く込み合う時間帯には受付カウンターでカードを発行するのに手間がかかり、来訪者を待たせる不都合が生じる。【０００５】  本発明は、これらの不具合を改善するために提案するものである。クリップ付きホルダーに挿入された非接触ＩＣカードをホルダーガイドに整列、ストッカーガイドから１枚ずつ、送り出し装置により送出し、更に、自重により通信アンテナ部に送出するよう構成することを課題とした。
【課題を解決するための手段】
【０００６】  本発明はこれらの課題を解決するために非接触ＩＣカードに入力データ書き込み手段とデータ判定手段とカード発行手段を有する非接触ＩＣカード発行装置であって、非接触ＩＣカードをクリップ付きホルダーに挿入した状態で非接触ＩＣカードを供給発行することを特徴とする。【０００７】  さらに、クリップ付きホルダーに挿入した非接触ＩＣカードをホルダーストッカーから１枚ずつ、送り出し装置により送出し、更に、自重により通信アンテナ部に送出するよう構成したことを特徴とする。
【発明の効果】
【０００７】  本発明により、非接触ＩＣカードを、クリップ付きのホルダーに収納する手間を省くが出来るため、来訪者が多い場合でも、来訪者を待たせる時間を短縮する事が出来る。又、非接触ＩＣカードを、クリップ付きホルダーに収納したままで、再利用出来る利点も生じる。
【発明を実施するための最良の形態】
【０００８】  図１は本発明における、非接触ＩＣカード入りホルダー発行装置の一実施の形態を示す外観斜視図。図２は図１の断面図で非接触ＩＣカード入りホルダー自動発行機構図である。図１において、筐体１は前面に開閉扉２、中間部にＬＣＤタッチパネル５及びインターホン６、開閉扉２の下部にカード取り出し口７が構成されている。筐体１の上面には異常表示灯８を配置する。開閉扉２は、ヒンジ３、鍵４を設け、非接触ＩＣカード入りホルダー１４の補給及び非常時に開錠し、取手９によって開扉する。ＬＣＤタッチパネル５から入力された情報は、上位システムと通信ケーブル１０により通信される。非接触ＩＣカード入りホルダー発行装置は、上位システムの入力信号により作動する。ＬＣＤタッチパネル５の周囲に配置されたインターホン６は、問合せや緊急時の他部所との通信に用いる。【０００９】  図２は、カード収納ホルダー発行装置の、筐体１の上部内に構成された非接触ＩＣカード入りホルダー自動発行機構概略断面図である。非接触ＩＣカード入りホルダー１４を充填したホルダーストッカー１２の上部に、非接触ＩＣカード入りホルダー１４を充填した補給用ストッカー１１を構成する。ホルダーストッカー１２の下端部には、受け爪１３があり、非接触ＩＣカード入りホルダー１４の落下を防止するよう構成する。この受け爪１３は、非接触ＩＣカード入りホルダー１４の両端部のみを支え、カードが自重で落下するのを防ぐよう構成されている。又、ホルダーストッカー１２の下部は、受け爪１３を残し、非接触ＩＣカード入りホルダー１４の厚さ１枚分のみを、ホルダーストッカー１２外にスライド出来るよう両側が開口されている。【００１０】  図３は、図２の押し出し機構の拡大図で、これに基づき非接触ＩＣカード入りホルダー１４の押し出し順序を説明する。ホルダーストッカー１２に充填された非接触ＩＣカード入りホルダー１４は、押し出しアーム駆動部１７に連動する押し出しアーム１８によって、クリップ１５と反対側に１枚づつホルダーストッカー１２外に押し出される。押し出しアーム１８は、非接触ＩＣカード入りホルダー１４に連なるクリップ１５に接触することなく、かつ、非接触ＩＣカード入りホルダー１４の両端のみを押し出すよう構成される。図４はその構成を示している。クリップと反対側に押し出すことにより、クリップ１５が互いに絡みあうこと無く押し出される。【００１１】  非接触ＩＣカード入りホルダー１４が、押し出しアーム１８により押し出され、受け爪１３の端部まで到達すると、非接触ＩＣカード入りホルダー１４の端部が受け爪１３より外れる。ここで押し出しアーム１８は後退し、次の指令を待ち待機する。非接触ＩＣカード入りホルダー１４の他の端部は受け軸１９の上部をスライドし、ａの位置に送出される。次に、非接触ＩＣカード入りホルダー１４の重心はクリップ１５の重量が加わり、クリップ１５側にずれるため、非接触ＩＣカード入りホルダー１４は自重により、受け軸１９を支点にして、クリップ１５を下方向にして回転し、ｂの状態になり、スライダー２０上に自然落下する。【００１２】  スライダー２０は、クリップ１５が接触することが無く中央部に溝が構成され、非接触ＩＣカード入りホルダ��１４の両端面のみを受け面となるよう構成される。非接触ＩＣカード入りホルダー１４はクリップ１５を下方向に向けつつスライダー２０上を滑り落ち、突き出しているシャッター２２で停止する。シャッター２２は、クリップ１５を避けるよう、非接触ＩＣカード入りホルダー１４の片端のみに接するよう構成する。シャッター２２は、シャッター駆動部２１により出し入れされる。マイクロスイッチ２３は、非接触ＩＣカード入りホルダー１４がシャッター２２で停止していることを確認すると、上位システムから出された入力信号により、情報が通信アンテナ２７によって書き込みが行われる。この通信アンテナ２７は、上位システムの入力信号によって情報を書き込む。次に、書き込まれた情報が上位システムにより正しく書き込まれたか否か判別される。次に、シャッター２２が開き、非接触ＩＣカード入りホルダーに情報が正しく書き込まれていると判定されたものは良品受け部兼カードホルダー取り出し口２５に落下する。万一、非接触ＩＣカード入りホルダーに情報が正しく書き込まれていないと判定されたものは、切り替え装置２４が作動し、不良品受け部２６に落下収納される。【００１３】  ホルダーストッカー１２内の非接触ＩＣカード入りホルダー１４の残数が少なくなった場合、補給検知センサー１６が働き、筐体１の上部天面の異常表示灯８が点滅し、非接触ＩＣカード入りホルダー１４の補給を知らせる。この時、鍵４を開錠し、非接触ＩＣカード入りホルダー１４を充填した補給用ストッカー１１を交換する。非接触ＩＣカード入りホルダー１４が補充されると、補給検知センサー１６により、異常表示灯８の点滅は停止する。
【図面の簡単な説明】
【００１４】
【図１】本発明のカード入りホルダー発行装置の外観図
【図２】本発明のカード入りホルダー発行装置の機構の概略断面図
【図３】図２のＡ部拡大図
【図４】カード入りホルダー及び、押し出しアームの上面図
【符号の説明】
【００１５】１    筐体
２    開閉扉
３    ヒンジ
４    鍵
５    ＬＣＤタッチパネル
６    インターホン
７    カード入りホルダー取り出し口
８    異常表示灯
９    取手
１０  上位システムとの通信ケーブル
１１  補給用ストッカー
１２  ホルダーストッカー
１３  受け爪
１４  非接触ＩＣカード入りホルダー
１５  クリップ
１６  補給検知センサー
１７  押し出しアーム駆動部
１８  押し出しアーム
１９  受け軸
２０  スライダー
２１  シャッター駆動部
２２  シャッター
２３  マイクロスイッチ
２４  切り替え装置
２５  良品受け部
２６  不良品受け部
２７  通信アンテナ
ａ  非接触ＩＣカード入りホルダーが送出された位置
ｂ  非接触ＩＣカード入りホルダーが回転送出された位置
【図１】
2008102892.tif 000003
【図２】
2008102892.tif 000004
【図３】
2008102892.tif 000005
【図４】
2008102892.tif 000006